【事件の表示】
　特願２００６−２３０６６４「再生装置及び再生プログラム」拒絶査定不服審判事件〔平成１８年１１月３０日出願公開、特開２００６−３２４００５〕について、次のとおり審決する。
【結　論】
　本件審判の請求は、成り立たない。
【理　由】
　
Ｉ．手続の経緯
　本件審判の請求にかかる特許願（以下、「本願」という）は、平成１４年４月２３日に出願された特願２００２−１２００５０号の一部を平成１６年１１月５日に新たな特許出願とした特願２００４−３２１３９７号の一部を、更に平成１８年８月２８日に新たな特許出願としてなされたものであって、平成１９年７月１９日付けで通知した拒絶理由に対して同年９月２７日付けで手続補正がなされ、更に平成１９年１２月６日付けで通知した拒絶理由に対して平成２０年２月２１日付けで手続補正がなされたが、平成２０年３月７日付けで、平成１９年１２月６日付けで通知した拒絶理由により拒絶すべき旨の査定がなされ、これに対して、同年４月１４日付けで拒絶査定不服審判の請求がなされ、同日付けで特許請求の範囲及び明細書についての手続補正がなされた。
　その後、平成２２年７月９日付けで前置報告書に基づく審尋がなされ、同年９月１０日付けで回答がなされたものである。
　
II．補正について
　平成２０年４月１４日付け手続補正についての補正却下の決定
　
　〔補正却下の決定の結論〕
　平成２０年４月１４日付け手続補正（以下、「本件補正」という。）を却下する。
　
　〔理由〕
　
１．本件補正の内容
　
　本件補正は、
　
（１）特許請求の範囲について、
　
（1-1）本件補正前に、
「【請求項１】
　記憶手段に保存された音楽データを再生する再生装置において、
　音楽データの選曲基準をユーザに選択させるための選曲基準選択画面を表示する選択画面表示制御手段と、
　前記選曲基準選択画面で、前記音楽データが前記記憶手段に保存された保存日時情報が選曲基準として選択されると、選曲基準として選択された保存日時情報をユーザに指定させるための保存日時指定画面を表示する指定画面表示制御手段と、
　前記保存日時指定画面で指定された保存日時情報に基づいて、ある期間内に保存された音楽データを特定し、
　前記ある期間内に保存された音楽データを対象とし、それら対象を複数のグループに分けるグループ作成手段とを備えていることを特徴とする再生装置。
【請求項２】
　前記グループ作成手段が、
　前記記憶手段に保存されている、前記音楽データの保存日時情報に基づいて、前記ある期間内に保存された音楽データを特定し、
　前記ある期間内に保存された音楽データを識別する識別情報を保存すると共に、
　保存した識別情報に対応付けて、グループを区別するグループ情報を保存することによって、前記対象をグループに分けるものであることを特徴とする請求項１記載の再生装置。
【請求項３】
　前記グループ作成手段により作成されたグループを並べて、再生順序情報を作成する再生順序情報作成手段と、
　該再生順序情報作成手段により作成された前記再生順序情報に基づいて、前記記憶手段に保存されている音楽データを再生する再生制御手段とを備えていることを特徴とする請求項１又は請求項２記載の再生装置。
【請求項４】
　記憶手段に保存された音楽データを再生する再生装置に、
　音楽データの選曲基準をユーザに選択させるための選曲基準選択画面を表示する機能と、
　前記選曲基準選択画面で、前記音楽データが前記記憶手段に保存された保存日時情報が選曲基準として選択されると、選曲基準として選択された保存日時情報をユーザに指定させるための保存日時指定画面を表示する機能と、
　前記保存日時指定画面で指定された保存日時情報に基づいて、ある期間内に保存された音楽データを特定する機能と、
　前記ある期間内に保存された音楽データを対象とし、それら対象を複数のグループに分ける機能とを実現させることを特徴とする再生プログラム。」
とあったものを、
　
（1-2）本件補正により、
「【請求項１】
　記憶手段に保存された音楽データを再生する再生装置において、
　音楽データの選曲基準をユーザに選択させるための選曲基準選択画面を表示する選択画面表示制御手段と、
　前記選曲基準選択画面で、前記音楽データが前記記憶手段に保存された保存日時情報が選曲基準として選択されると、選曲基準として選択された保存日時情報をユーザに指定させるための保存日時指定画面を表示する指定画面表示制御手段と、
　前記保存日時指定画面で指定された保存日時情報に基づいて、ある期間内に保存された音楽データを特定し、
　前記ある期間内に保存された音楽データを対象とし、それら対象を複数のグループに分けるグループ作成手段と
、
　
該グループ作成手段により作成されたグループを並べて、再生順序情報を作成する再生順序情報作成手段と、
　
再生中の音楽データの保存日時情報を認識可能に表示すると共に、前記再生順序情報作成手段により作成された前記再生順序情報に基づいて、前記記憶手段に保存されている音楽データを順次再生する再生制御手段と
【請求項２】
　記憶手段に保存された音楽データを再生する再生装置に、
　音楽データの選曲基準をユーザに選択させるための選曲基準選択画面を表示する機能と、
　前記選曲基準選択画面で、前記音楽データが前記記憶手段に保存された保存日時情報が選曲基準として選択されると、選曲基準として選択された保存日時情報をユーザに指定させるための保存日時指定画面を表示する機能と、
　前記保存日時指定画面で指定された保存日時情報に基づいて、ある期間内に保存された音楽データを特定する機能と、
　前記ある期間内に保存された音楽データを対象とし、それら対象を複数のグループに分ける機能と、
　
作成したグループを並べて、再生順序情報を作成する機能と、
再生中の音楽データの保存日時情報を認識可能に表示すると共に、作成した前記再生順序情報に基づいて、前記記憶手段に保存されている音楽データを順次再生する機能と
とし、
　
（２）明細書の記載について、
　
（2-1）本件補正前に、
「【００１４】
　上記目的を達成するために本発明に係る再生装置（１）は、記憶手段に保存された音楽データを再生する再生装置において、音楽データの選曲基準をユーザに選択させるための選曲基準選択画面を表示する選択画面表示制御手段と、前記選曲基準選択画面で、前記音楽データが前記記憶手段に保存された保存日時情報が選曲基準として選択されると、選曲基準として選択された保存日時情報をユーザに指定させるための保存日時指定画面を表示する指定画面表示制御手段と、前記保存日時指定画面で指定された保存日時情報に基づいて、ある期間内に保存された音楽データを特定し、前記ある期間内に保存された音楽データを対象とし、それら対象を複数のグループに分けるグループ作成手段とを備えていることを特徴としている。」、
「【００１６】
　また、本発明に係る再生プログラム（１）は、記憶手段に保存された音楽データを再生する再生装置に、音楽データの選曲基準をユーザに選択させるための選曲基準選択画面を表示する機能と、前記選曲基準選択画面で、前記音楽データが前記記憶手段に保存された保存日時情報が選曲基準として選択されると、選曲基準として選択された保存日時情報をユーザに指定させるための保存日時指定画面を表示する機能と、前記保存日時指定画面で指定された保存日時情報に基づいて、ある期間内に保存された音楽データを特定する機能と、前記ある期間内に保存された音楽データを対象とし、それら対象を複数のグループに分ける機能とを実現させることを特徴としている。」
とあったものを、
　
（2-2）本件補正により、
「【００１４】
　上記目的を達成するために本発明に係る再生装置（１）は、記憶手段に保存された音楽データを再生する再生装置において、音楽データの選曲基準をユーザに選択させるための選曲基準選択画面を表示する選択画面表示制御手段と、前記選曲基準選択画面で、前記音楽データが前記記憶手段に保存された保存日時情報が選曲基準として選択されると、選曲基準として選択された保存日時情報をユーザに指定させるための保存日時指定画面を表示する指定画面表示制御手段と、前記保存日時指定画面で指定された保存日時情報に基づいて、ある期間内に保存された音楽データを特定し、前記ある期間内に保存された音楽データを対象とし、それら対象を複数のグループに分けるグループ作成手段と
、該グループ作成手段により作成されたグループを並べて、再生順序情報を作成する再生順序情報作成手段と、再生中の音楽データの保存日時情報を認識可能に表示すると共に、前記再生順序情報作成手段により作成された前記再生順序情報に基づいて、前記記憶手段に保存されている音楽データを順次再生する再生制御手段と
「【００１６】
　また、本発明に係る再生プログラム（１）は、記憶手段に保存された音楽データを再生する再生装置に、音楽データの選曲基準をユーザに選択させるための選曲基準選択画面を表示する機能と、前記選曲基準選択画面で、前記音楽データが前記記憶手段に保存された保存日時情報が選曲基準として選択されると、選曲基準として選択された保存日時情報をユーザに指定させるための保存日時指定画面を表示する機能と、前記保存日時指定画面で指定された保存日時情報に基づいて、ある期間内に保存された音楽データを特定する機能と、前記ある期間内に保存された音楽データを対象とし、それら対象を複数のグループに分ける機能と、
作成したグループを並べて、再生順序情報を作成する機能と、再生中の音楽データの保存日時情報を認識可能に表示すると共に、作成した前記再生順序情報に基づいて、前記記憶手段に保存されている音楽データを順次再生する機能と
としようとするものである。
　
　
２．本件補正の適否
　　本件補正は、上記請求項１、明細書【００１４】段落において、「再生中の音楽データの保存日時情報を認識可能に表示すると共に、前記再生順序情報作成手段により作成された前記再生順序情報に基づいて、前記記憶手段に保存されている音楽データを順次再生する再生制御手段」と補正しようとするものである。
　
　これに対し、発明の詳細な説明、図面を検討すると、「再生制御手段１７０」が、請求項１、明細書【００１４】段落に記載された「再生制御手段」に対応すると認められるところ、
　出願当初の明細書の、
【特許請求の範囲】【請求項３】段落の、「前記グループ作成手段により作成されたグループを並べて、再生順序情報を作成する再生順序情報作成手段と、該再生順序情報作成手段により作成された前記再生順序情報に基づいて、前記記憶手段に保存されている音楽データを再生する再生制御手段とを備えていることを特徴とする請求項１又は請求項２記載の再生装置。」なる記載、
【００２０】段落の、「読込手段１２０は、ＣＤ、ＭＤまたはＤＶＤなどの記録媒体１０に格納されている音楽データを読み込む、およびアンテナ１５０Ａと通信手段１５０とを介してインターネット経由で送信される音楽データを読み込むものである。再生手段１３０は、再生制御手段１７０から伝送されてくるディジタルの音楽データを、アナログ信号に変換して再生するための手段であり、出力にはスピーカ１３０Ａ等が用いられる。」なる記載、
【００２２】段落の、「再生順序情報作成手段１６０は、ユーザによって選択された再生順序判断基準情報を基に再生順序情報を作成するものであり、プログラムおよびそのプログラムが組み込まれたコンピュータで実現される。再生制御手段１７０は、記憶手段１１０に保存された再生順序情報を基に、記憶手段１１０から対応する音楽データを逐次再生手段１３０に伝送する、また、読込手段１２０で読み込まれた音楽データを再生手段１３０に伝送するものであり、プログラムおよびそのプログラムが組み込まれたコンピュータで実現される。」なる記載、
【００２６】段落の、「このような再生順序情報を基に、再生制御手段１７０は、記憶手段１１０内の、再生すべき音楽データが保存されている部分から音響データを読み出し、これを逐次再生手段１３０に伝送する。これにより、音楽データの再生が行われる。なお、これに合わせて制御手段１００が、再生すべき音楽データが保存されている部分から識別データを告知手段１８０に伝送し、告知させることが望ましい。」なる記載、
および、
【００３４】段落の、「ステップＳ４０９に進行すると、選択された再生順序判断基準情報を基に、再生順序情報作成手段１６０に再生順序情報を作成させる。次にステップＳ４１０に進行して告知手段１８０に画面５を表示させる。そして、ステップＳ４１１に進行し、再生制御手段１７０に、再生順序情報に基づく音楽データの再生を開始させる。なお、このような入力操作において、入力を中止するためのキャンセル入力機能や、外部装置からの割り込み入力機能等を含むことが望ましい。」
なる記載からすると、
　
　再生制御手段１７０は、「記憶手段１１０に保存された再生順序情報を基に、記憶手段１１０から対応する音楽データを逐次再生手段１３０に伝送する、また、読込手段１２０で読み込まれた音楽データを再生手段１３０に伝送する」ものであるから、請求項１、明細書【００１４】に記載された「前記再生順序情報作成手段により作成された前記再生順序情報に基づいて、前記記憶手段に保存されている音楽データを順次再生する再生制御手段」については、出願当初の明細書に記載されているものであるが、「再生制御手段」が「再生中の音楽データの保存日時情報を認識可能に表示する」制御動作を行うことについては、記載されておらず、また、自明な事項でもない。
　したがって、「再生中の音楽データの保存日時情報を認識可能に表示すると共に、前記再生順序情報作成手段により作成された前記再生順序情報に基づいて、前記記憶手段に保存されている音楽データを順次再生する再生制御手段」は、願書に最初に添付した明細書及び図面に記載した事項の範囲でしたものとはいえない。
　
　なお、明細書の【００２６】段落には、制御手段１００が、「再生すべき音楽データが保存されている部分から識別データを告知手段１８０に伝送し、告知させる再生すべき音楽データが保存されている部分から識別データを告知手段１８０に伝送し、告知させる」ことが記載され、明細書の【００２４】段落には、識別データとして、保存日時情報を含むことが記載され、明細書の【００２８】段落には、告知手段１８０が、モニタ画面１８０Ａにより実現されることが記載され、また、明細書の【００３０】段落ないし【００３４】段落および図面４図には、制御手段１００の動作を示したフローチャートにおいて、告知手段１８０に、保存日時（記録日）を含む画面５を表示させ、再生制御手段１７０に音楽データの再生を開始させることが記載されていることから、「再生中の音楽データの保存日時情報を認識可能に表示する」制御を行うものは、再生制御手段とは別に設けられたものであることが明らかな「制御手段１００」であると解されるものである。
　
３．補正についてのむすび
　
　以上のとおりであるから、本件補正は、特許法第１７条の２第３項の規定に違反するものであって、特許法第１５９条第１項の規定において読み替えて準用する同法第５３条第１項の規定により却下すべきものである。
　
　
III．本願発明について
　
１．本願発明
　平成２０年４月１４日付けの手続補正は、以上のとおり却下されたので、本願請求項１ないし４に係る発明は、平成２０年２月２１日付けの手続補正によって補正された明細書及び図面からみて、特許請求の範囲の請求項１ないし４に記載されたとおりのものと認められるところ、その請求項１に係る発明（以下、「本願発明」という。）は、前記II．１．本件補正の内容（１）（1-1）の請求項１に記載したとおりのものである。
　
２．刊行物及びその記載
　これに対して、原査定の拒絶の理由に引用された、特開２００２−１００１６１号公報（平成１４年４月５日公開、以下、「刊行物１」という。）、及び特開２００２−４２４２５号公報（平成１４年２月８日公開、以下、「刊行物２」という。）には、それぞれ、以下の記載がある（なお、下線は、当審で付した。）。
　
（１）刊行物１
　刊行物１には、以下の記載がある。
　
（1-1）
「【発明の詳細な説明】
【０００１】
【発明の属する技術分野】
本発明はオーディオプレーヤーに関するものであり、より具体的には、デジタルオーディオディスクを再生するオーディオプレーヤーに関する。
　
（1-2）「【０００４】
【発明が解決しようとする課題】しかしながら、近年では音声圧縮技術（ＭＰ３など）が発達し、楽曲を高圧縮率でファイル化することが可能になった。これらの音声圧縮技術を適用すると、ＣＤ１枚につき１５０曲以上の音楽ファイルを記録することが可能となる。よって、従来のオーディオプレーヤーのように静的な１次元配列を操作対象の基本にし、楽曲番号や楽曲名で選曲するとなると多大の時間を要してしまう。本発明の目的は、このような不都合に着目し、ディスク全体の記録内容がわかりやすく、さらに選曲にかかる時間を短縮できるオーディオプレーヤーを提供することである。
【０００５】
【課題を解決するための手段】本発明は上述の課題を解決するため、予め定められている規則に基づいて音楽ファイルをジャンル別に分類する分類手段と、音楽ファイルとそのジャンル名とを対応づけて記憶する記憶手段と、予め定められた第１のユーザ操作によって記憶媒体内にあるジャンル名、及び／又はそのジャンルに属する音楽ファイルのファイル数を一覧表示する第１の表示手段と、第１の表示手段によって一覧表示されたジャンルの中から再生対象ジャンルを選択する第１の選択手段と、第１の選択手段によって選択された再生対象ジャンルに属する音楽ファイルを再生する第１の再生手段とを具備し、各音楽ファイルがその記録日時とともに記録媒体に記録されていた場合、予め定められた第２のユーザ操作によって記憶媒体内にある音楽ファイルのファイル名とその記録日時とを一覧表示する第２の表示手段と、第２の表示手段によって一覧表示された音楽ファイルの中から再生対象ファイルを選択する第２の選択手段と、第２の選択手段によって選択された再生対象ファイルを再生する第２の再生手段とを具備し、少なくとも１つのディレクトリが記録媒体内に存在し、ディレクトリの下に位置付けられている音楽ファイルの情報と、ディレクトリの作成日時とが記録媒体に記憶されていた場合、予め定められた第３のユーザ操作によって記憶媒体内にあるディレクトリのディレクトリ名とそのディレクトリの作成日時とを一覧表示する第３の表示手段と、第３の表示手段によって一覧表示されたディレクトリの中から再生対象ディレクトリを選択する第３の選択手段と、第３の選択手段によって選択された再生対象ディレクトリの下に位置する音楽ファイルを再生する第３の再生手段とを具備するオーディオプレーヤーを提供する。
【０００６】
ここで、上記オーディオプレーヤーは、表示対象ジャンルを指定する指定手段と、表示対象ジャンルに該当するジャンル名、及び／又はそのジャンルに属する音楽ファイルのファイル数を表示する表示手段と、表示手段によって表示されたジャンルに属する音楽ファイルを再生する再生手段とを具備することが好ましい。
また、上記オーディオプレーヤーは、表示対象期間を指定する指定手段と、表示対象期間に記録された音楽ファイルのファイル数、ファイル名、及び／又は各ファイルの記憶日時を表示する表示手段と、表示手段によって表示された音楽ファイルを再生する再生手段とを具備することが好ましい。
　
（1-3）
「【０００９】
【発明の実施の形態】次に、図１〜１９を参照して本発明をＣＤプレーヤーに適用した場合の実施の形態を詳細に説明する。図１は本発明を適用したＣＤプレーヤー内部の概略図である。また、図２〜１９は本発明を説明するための画面を表した図である。なお、ここでいうディスクとは音楽ＣＤを意味する。
【００１０】図１において、ＣＰＵ１０１がＣＤプレーヤー全体の制御を行う。
ＣＰＵ１０１は、ＲＯＭ１０３、操作部１０５、不揮発性ＲＡＭ１０７、ＣＤドライブ部１０９、及び表示部１１１と接続している。
【００１１】図２に示すのは前述のディスク情報である。ディスク情報はＣＤドライブ部１０９に挿入されているディスクに記録されている音楽ファイルのファイル名（列２０１）、各音楽ファイルのジャンル（列２０３）、記録日（列２０５）、及び記録時刻（列２０７）で構成される。１行目のデータを例にして、具体的に説明すると、列２０１のファイル名「Ｃ００１．ＭＰ３」の音楽ファイルに関する情報は、列２０３からそのジャンルがクラシックであることがわかる。さらに、
列２０５を参照するとその記録日は１９９８年の２月２８日であることがわかり、列２０７を参照するとその記録時刻は１３時００分であることがわかる。
【００１２】本発明の実施の形態では、ＲＯＭ１０３又はＲＡＭ１０７にデフォルトのジャンル名を記憶しておき、各音楽ファイルの記録時にはこのデフォルトのジャンル名と各ファイル名とを対応付けてディスク情報に記憶しておくこととする。なお、最初に対応付けされたジャンル名はユーザによって改めて変更することが可能である。このときのジャンル編集画面を図３に示す。」
　
（1-4）
「【００１４】＜第１の実施の形態＞まずはじめに、本発明の第１の実施の形態を説明する。この場合、検索対象はジャンル／音楽ファイル／ディレクトリであり、検索範囲はディスク全体である。図４はディスク情報（図２）に基づいて、ディスク内にある全ジャンルと各ジャンルに属する曲数（この場合、音楽ファイル数）とを一覧表示したジャンル表示画面である。同画面のジャンルリスト４０１には上からクラシック、ジャス、ソウル、ブルース、ポップス（邦楽）、ポップス（洋楽）、ロックの順でジャンル名とその曲数が表示されている。また、表示欄４０５にはディスク内の総ジャンル数が表示されている。ユーザはジャンルリスト４０１の中から再生対象ジャンルを選択する。つづいて、選択ボタン４０３を押下すると選択されたジャンルに属する楽曲が再生される。
【００１５】図５はディスク情報（図２）に基づいて、ディスク内にある音楽ファイルのファイル名（５０１の右側）とそのファイルの記録日時（５０１の左側）とを一覧表示した記録日時表示画面である。同画面のファイルリスト５０１には上から「Ｃ００１．ＭＰ３」、「Ｃ００３．ＭＰ３」、「Ｃ００２．ＭＰ３」、「Ｊ００７．ＭＰ３」の順でファイル名とその記録日時とが表示されている。ユーザはファイルリスト５０１の中から再生対象ファイルを選択する（複数選択可）。つづいて、選択ボタン５０３を押下すると選択された音楽ファイルが再生される。」
　
（1-5）
「【００１７】＜第２の実施の形態＞
次に、本発明の第２の実施の形態を説明する。この場合、検索対象はジャンルであり、検索範囲はユーザによって指定された特定ジャンルである。図７はディスク内にあるジャンルの中から特定のジャンルを検索し、表示させたときの画面である。ジャンル名入力欄７０１に「ポ」を入力すると、頭文字が「ポ」であるジャンル、ポップス（邦楽）及びポップス（洋楽）が検索ジャンル一覧画面７０５に表示される。
【００１８】図８は図７と同様にディスク内にあるジャンルの中から特定のジャンルを検索し、表示させたときの画面である。ジャンル名入力欄８０１に「ポ」を入力すると、頭文字が「ポ」であるジャンル、ポップス（邦楽）及びポップス（洋楽）が検索ジャンル一覧リスト８０５に表示される。さらに、項目数欄８０７には頭文字が「ポ」であるジャンルの数「２」が表示される。この状態で、決定ボタン８０３を押下すると、これらの２ジャンル、ポップス（邦楽）及びポップス（洋楽）に属している音楽ファイルが再生される。
【００１９】一方、図８の状態で表示ボタン８０９を押下すると、図９に示す画面が表示される。図９において、ジャンル一覧リスト９０１には、図８の検索ジャンル一覧リスト８０５に表示されていたポップス（邦楽）及びポップス（洋楽）に相当する、ＰＯＰＳ（ＪＡＰＡＮ）及びＰＯＰＳ（ＵＫ，ＵＳ，ｅｔｃ・・・）が表示されている。
【００２０】ジャンル一覧リスト９０１にはジャンル名のほかに各ジャンルに属している音楽ファイル数（この場合、ポップス（邦楽）は４曲、ポップス（洋楽）は３曲）も表示されている。さらに、ジャンル数欄９０５には頭文字が「ポ」であるジャンルの数「２」が表示される。この状態で、ジャンル一覧リスト９０１にある２ジャンルの中から再生対象ジャンルを選択し（複数選択可）、選択ボタン９０７を押下すると、選択された再生対象ジャンルに属している音楽ファイルが再生される。」
　
（1-6）
「【００２１】
＜第３の実施の形態＞次に、本発明の第３の実施の形態を説明する。この場合、検索対象は音楽ファイルであり、検索範囲は指定期間内に記憶された音楽ファイルである。図１０はユーザが表示対象期間を指定し、ディスク内にある音楽ファイルの中からその期間内に記録された音楽ファイルのみを検索して表示させたときの画面である。図１０において、表示対象開始時刻入力欄１００１には１９９８年２月２８日０時０分０秒と入力され、表示対象終了時刻入力欄１００３には２０００年１月１日１２時０分０秒と入力されている。曲数表示欄１００５にはディスク内にある音楽ファイルで上記期間に記録されたファイル数（１７曲）が表示されている。そして、この状態で決定ボタン１００７を押下すると、上記期間内に記録された全音楽ファイル１７曲が再生される。
【００２２】図１１は図１０と同様にユーザが表示対象期間を指定し、ディスク内にある音楽ファイルの中からその期間内に記録された音楽ファイルを検索して表示させたときの画面である。なお、図１１では表示対象期間のほかに最大検索数をユーザが指定し、上記表示対象期間に記録された音楽ファイルの全ファイル数が最大検索数を上回った場合には、最大検索数のみのファイル数を表示している。
【００２３】図１１において、表示対象開始時刻入力欄１１０１には１９９８年２月２８日０時０分０秒と入力され、表示対象終了時刻入力欄１００３には２０００年１月１日１２時０分０秒と入力されている。ここで、図２のディスク情報を参照すると、ディスク内にある音楽ファイルで上記期間に記録されたファイル数は１７曲存在する。しかし、最大検索数入力欄１１０９に最大１５曲まで検索するように指定されているため、曲数表示欄１１０５には最大検索数の１５曲が表示されている。よって、この状態で決定ボタン１１０７を押下すると、上記期間内に記録された全音楽ファイルのうち１５曲が再生される。
【００２４】
図１２も図１０及び図１１と同様に、ユーザが表示対象期間を指定し、ディスク内にある音楽ファイルの中からその期間内に記録された音楽ファイルのみを検索して表示させたときの画面である。図１２において、表示対象開始時刻入力欄１２０１には１９９８年２月２８日０時０分０秒と入力され、表示対象終了時刻入力欄１２０３には２０００年１月１日１２時０分０秒と入力されている。曲数表示欄１２０５にはディスク内にある音楽ファイルで上記期間に記録されたファイル数（１７曲）が表示されている。
【００２５】一方、
図１２の状態で表示ボタン１２０９を押下すると、図１３に示す画面が表示される。図１３のファイル一覧リスト１３０１には、図１２の曲数表示欄１２０５に表示されていたファイル数（この場合、１７曲）の音楽ファイルが表示される。
　
(1-7)図面８図には、ジャンルの中から特定のジャンルを検索し、表示させたときの画面として、ジャンル検索モードの画面が示されており、また、図面１０図には、ユーザが表示対象期間を指定し、ディスク内にある音楽ファイルの中からその期間内に記録された音楽ファイルのみを検索して表示させたときの画面として、記録日時範囲指定モードの画面が示されている。
　
　上記摘示事項(1-1)ないし(1-7)及び図面の記載を総合勘案すると、刊行物１には、次の発明（以下、「刊行物１発明」という。）が記載されているものと認める。
　
「デジタルオーディオディスクを再生するオーディオプレーヤーであって、
　記録媒体には、各音楽ファイルとその記録日時が記録され、
　音楽ファイルのジャンルを検索するジャンル検索モード、指定期間内に記録された音楽ファイルを検索する記録日時範囲指定モードを有し、
　記録日時範囲指定モードにおいて、表示対象開始時刻入力欄、表示対象終了時刻入力欄が表示され、
　ユーザが指定した期間内に記録された音楽ファイルのみを検索する、
オーディオプレーヤー。」
　
　
（２）刊行物２
　刊行物２には、以下の記載がある。
　
（2-1）「【要約】
【課題】  
大容量の記録媒体に多数のトラックを記録した場合において、トラックをグループとして纏めて管理可能とし、グループ単位による各種再生、記録、編集が行えるようにして、ユーザにとっての利便性を向上させる。
　
（2-2）
「【０００８】例えば、これまでのデータ記録容量１４０ＭＢのミニディスクにあっては、１枚のディスクに記録可能なトラック（楽曲数）は、通常は、１０数曲〜２０数曲程度とされていた。つまり、ＣＤなどに代表される、いわゆるアルバム１枚分程度の楽曲数とされていたものである。これに対して、上記したデータ記録容量６５０ＭＢのミニディスクのようにして、ディスクが高記録密度化し、また、音声データ圧縮技術も進歩してくると、１枚のディスクに記録可能なトラック（楽曲）数は、相当に増加することになる。例えば上述のようにして１０時間程度の記録時間が得られるのであるから、例えば１曲が４分程度であるとして、１５０曲程度の楽曲数を記録することも可能となるものである。また、７４分の演奏時間のＣＤに換算すれば、このＣＤを８枚程度分は記録することが充分にできることになる。
【０００９】
【発明が解決しようとする課題】ここで、上記のようにしてミニディスクが大容量化して、例えばこのディスクに記録可能なトラック数が増加した場合のことを考えてみると、ユーザとしては、例えばアルバム単位などの
或る任意のコンセプトに基づいて、１枚のディスクに記録されている多数のトラックをグループごとに区分したいという要望がでてくることになる。」
　
（2-3）
「【００５７】そして、本実施の形態においては、ディスクに記録されたデータは、図６（ａ）に例示されるようにして管理することができる。ここでは、トラックＴｒ１〜Ｔｒ４０までの４０トラックが記録されている場合が示されている。そして、この場合にはトラックＴｒ１〜Ｔｒ２０までの２０トラックがグループＧｒ１として、１つのグループに属するものとして管理されている状態が示されている。また、続くトラックＴｒ２１〜Ｔｒ２３までの４トラックがグループＧｒ２として、やはり１つのグループに属するものとして管理されているものである。そして、次のトラックＴｒ２４，Ｔｒ２５の２トラックがグループＧｒ３に属するように管理されている。
【００５８】本実施の形態では、上記のようにして、トラックナンバーが連続する複数トラックを１つのグループとして管理することができるようになっている。このような
グループの設定は、例えばユーザの所定の編集操作によって設定することが可能とされる。
　
（2-4）
「【００６７】なお、グループ単位を基とする再生動作例としては、上記した頭出しサーチ操作に応じた動作を挙げているが、これについてはほかにも考えられるものである。例えば、ディスク再生装置では、一般にリピート再生やシャッフル再生などの特殊再生が可能とされているが、例えばリピート再生を１つのグループについてのみ行ったり、また、１グループ内のトラックについてシャッフル再生を行うようにすることなどが考えられる。
また、ユーザがトラック再生順を任意に選択することができるいわゆるプログラム再生なども可能とされているが、このプログラム再生機能として、例えばグループ単位で、ユーザが再生順を設定できるようにすることも可能とされる。
　
（2-5）
「【０１２３】
【発明の効果】以上説明したように本発明は、
記録媒体に記録される記録データを管理するための管理情報として、トラック（プログラム）をグループ（プログラム集合体）として纏めて管理可能とされている。そして、この管理情報を参照することで、グループ単位での各種再生動作を実行することが可能となる。
【０１２４】
例えば大容量の記録媒体に対して非常に多くのトラックが記録されるような状況では、当然、或るコンセプトに基づいて複数のトラックをグループ化し、このグループ単位により各種再生操作を行いたいという要望が起きてくる。しかし、従来においては、管理情報はトラック単位のみによって管理を行うものであったことから、このようなグループ化によるデータの管理は困難とされ、従って、グループ単位での再生操作はできずにいたものである。これに対して本発明では、上記したように、例えば複数トラックをグループとして管理可能な管理情報を有しているために、この管理情報を参照することで、グループ単位での各種再生制御処理が可能となるものである。
【０１２５】
例えば、再生制御処理の１つには、グループ単位での頭出しサーチを実行可能とされており、これによってユーザは、ディスクに記録された内容をグループ単位により選択しながら再生するという、これまでに無い操作を行うことが可能になるものである。
　
３．対比
　本願発明と刊行物１発明と対比する。
　
（１）本願明細書の【００１９】段落には、「記憶手段」として、ハードディスク、光磁気ディスク等が挙げられていることから、刊行物１発明における「デジタルオーディオディスクを再生するオーディオプレーヤー」は、本願発明の「記憶手段に保存された音楽データを再生する再生装置」に相当する。
　
（２）  刊行物１発明における、記録媒体に記録される「各音楽ファイルとその記録日時」は、本願発明の、「前記音楽データが前記記憶手段に保存された保存日時情報」に相当する。
　
（３）刊行物１発明の、「指定期間内に記録された音楽ファイルを検索する、記録日時範囲指定モードを有し、記録日時範囲指定モードにおいて、表示対象開始時刻入力欄、表示対象終了時刻入力欄が表示され、ユーザが指定した期間内に記録された音楽ファイルのみを検索するオーディオプレーヤー」は、本願発明の、「保存日時情報をユーザに指定させるための保存日時指定画面を表示する指定画面表示制御手段と、
　前記保存日時指定画面で指定された保存日時情報に基づいて、ある期間内に保存された音楽データを特定」する手段を備えているものである。
　
　結局、両発明の一致点及び相違点は以下のとおりである。
　
［一致点］
　
「記憶手段に保存された音楽データを再生する再生装置において、
　前記音楽データが前記記憶手段に保存された保存日時情報をユーザに指定させるための保存日時指定画面を表示する指定画面表示制御手段と、
　前記保存日時指定画面で指定された保存日時情報に基づいて、ある期間内に保存された音楽データを特定（する）手段とを備えている再生装置。
　
［相違点］
　
（ア）本願発明では、「音楽データの選曲基準をユーザに選択させるための選曲基準選択画面を表示する選択画面表示制御手段」を備え、「前記選曲基準選択画面で、」「保存日時情報が選曲基準として選択されると、選曲基準として選択された」保存日時情報をユーザに指定させるための保存日時指定画面を表示する指定画面表示制御手段を備えているのに対し、刊行物１発明では、そのような選曲基準選択画面を表示する選択画面表示制御手段について特定されていない点。
　
（イ）ある期間内に保存された音楽データについて、本願発明では、「前記ある期間内に保存された音楽データを対象として、それら対象を複数のグループに分けるグループ作成手段」を備えているのに対して、刊行物１発明では、そのようなグループ作成手段を備えていない点。
　
４．判断
　以下、相違点について検討する。
　
相違点（ア）について
　刊行物１には、オーディオプレーヤーが、ユーザによって指定された特定ジャンルを指定する指定手段を具備することが好ましく、また、ユーザが表示対象期間を指定し、ディスク内にある音楽ファイルの中からその期間内に記録された音楽ファイルのみを検索する指定手段を具備することが好ましいことが記載されており（III．２．（１）(1-2)【０００６】、（1-5）【００１７】、(1-6)【００２１】段落参照）、また、一般に、音楽(楽曲）を検索する際に、例えば、ジャンル、アーティスト名（歌手名）等の、様々な観点から検索すること、および、その検索種別を選択するために、選曲基準選択画面、即ち、ジャンルについて検索するか、アーティスト名について検索するか等について選択可能な入力画面を表示させることは、例えば、特開平６−１３０９８２号公報（図６）、特開２００２−５７７４６号公報（図６）に記載されているように、周知技術である。
　したがって、刊行物１発明において前記周知技術を適用して、表示対象ジャンルを指定するジャンル検索モード、および、表示対象期間を指定する記録日時範囲指定モードの両者をオーディオプレーヤーに具備させて、選曲基準選択画面を表示させ、本願発明のように、「音楽データの選曲基準をユーザに選択させるための選曲基準選択画面を表示する選択画面表示制御手段」を備え、「前記選曲基準選択画面で、前記音楽データが前記記憶手段に保存された保存日時情報が選曲基準として選択されると、選曲基準として選択された」保存日時情報をユーザに指定させるための保存日時指定画面を表示する指定画面表示制御手段を備えるようにすることは、当業者が適宜なし得る事項である。
　
相違点（イ）について
　
　刊行物２には、ユーザにとって利便性を向上させるために、ディスクに記録された多数の楽曲（音楽データ）を、アルバム単位などの任意のコンセプトに基づいてグループごとに分けて管理可能とし、例えば、グループ単位で、再生順を設定できるようにする等の各種再生操作を行う技術が記載されている（２．（２）(2-1)【要約】【請求項１】（2-2）【０００８】【０００９】(2-4)【００６７】(2-5)【０１２３】ないし【０１２５】参照）。そして、音楽データの取扱いについて利便性を向上させることは、ディスクに記録された多数の音楽データに限らず、ディスクに記録された音楽データから所定の条件の下に選択された楽曲に対してもなされ得ることであるから、所定の条件の下に選択された楽曲に対しても、アルバム単位などの任意のコンセプトに基づいてグループ分けを行うようにすることに格別の困難性を有しない。したがって、刊行物１発明に、刊行物２に記載された前記技術を適用して、本願発明のように、「前記ある期間内に保存された音楽データを対象として、それら対象を複数のグループに分けるグループ作成手段」を備えることは、当業者が容易に想到し得たものである。
　
　そして、上記相違点を総合的に判断しても、本願発明が奏する効果は刊行物１、刊行物２に記載された発明及び周知技術から当業者が十分に予測できたものであって格別なものとはいえない。  
　
IV．むすび
　
　以上のとおり、本願の請求項１に係る発明は、刊行物１、刊行物２に記載された発明及び周知技術に基づき当業者が容易に発明をすることができたものであるから、特許法第２９条第２項の規定により特許を受けることができない。  
　したがって、本願は、その余の請求項について論及するまでもなく拒絶すべきものである。  
　よって、結論のとおり審決する。